【手続補正書】
【提出日】平成27年1月25日(2015.1.25)
【手続補正１】
【補正対象書類名】特許請求の範囲
【補正対象項目名】全文
【補正方法】変更
【補正の内容】
【特許請求の範囲】
【請求項１】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項２】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項３】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項４】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項５】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項６】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項７】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項８】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項９】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１０】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１１】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１２】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１３】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１４】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１５】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１６】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１７】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１８】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項１９】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。